(57)【特許請求の範囲】
【請求項１】
液体が充填された内装容器を収納した方形状の第一包装箱を、方形状の第二包装箱内に重ね合わせて収納して二重梱包する二重梱包用包装箱であって、
前記第二包装箱の天板が連設された包装箱本体の四隅にはスリットが各々形成され、前記スリットの長さは、第二包装箱の包装箱本体の上端部から１／３の高さ範囲内で延設されており、当該包装箱本体の側板上部と天板が折り目を介して連設された開閉フラップ部が四方に開閉可能に形成されていることを特徴とする二重梱包用包装箱。
【請求項２】
前記第二包装箱の厚さは、前記第一包装箱の厚さより薄い包装材が用いられている請求項１記載の二重梱包用包装箱。
【請求項３】
請求項１又は請求項２記載の二重梱包用包装箱を用いた二重梱包方法であって、
天板を四方に開放した状態で底板を閉じて方形に組み立てた第一包装箱を用意する工程と、
側板四隅に形成されたスリットに仕切られ側板上部及びこれに折り目を介して連設された天板を折り曲げて形成する開閉フラップを四方に開放するとともに底板を閉じて方形に組み立てた第二包装箱を用意する工程と、
前記開閉フラップを開放した前記第二包装箱内に、前記第一包装箱を重ね合わせて挿入しかつ側板上部が露出するように収納する工程と、
前記第一包装箱内に内装容器を収納する工程と、
前記内装容器の注ぎ口から液体を充填して当該注ぎ口を閉止する工程と、
前記第一包装箱の天板を折り曲げで前記第一包装箱の開口を閉じて封止する工程と、
前記第二包装箱の開閉フラップを前記第一包装箱の側板上部に沿って各々起立させると共に折り目より前記天板を各々折り曲げることにより前記第二包装箱の開口を閉じて封止する工程と、
を含むことを特徴とする二重梱包用包装箱を用いた二重梱包方法。
【発明の詳細な説明】
【技術分野】
【０００１】
本発明は、例えば被包装物としてバッグインボックスタイプの包装箱を二重梱包する二重梱包用包装箱及びこれを用いた二重梱包方法に関する。
【背景技術】
【０００２】
近年、環境保護の意識の高まりから、省資源、省スペースで廃棄容易な包装容器が多用されている。その中でも、薬液等の液体を充填可能なプラスチック製のフィルムバッグ（内装容器）とこれを収納するダンボールケースを用いた外箱容器からなるバッグインボックスタイプの包装容器が用いられている。
【０００３】
バッグインボックスタイプの包装容器は、フィルムバッグに例えば１０Ｌ（リットル）若しくは２０Ｌの薬液が充填されてスパウト（注ぎ口）にスクリューキャップをねじ嵌合させてダンボール箱に収納され、天板が閉じられて封止されている。ダンボール箱の天板の一部には、ミシン目に囲まれた窓部が設けられている。
【０００４】
使用者は、このダンボール箱の窓部のミシン目を破断して開口することで、天板を開封することなくスパウトを露出させて、スクリューキャップを取り外すかこれにコックを取り付けて、必要に応じて薬液を取り出して使用するようになっている。
【０００５】
尚、内装容器（袋体）にしわが発生することにより充填物（液体）の残留を可及的に無くすため、ダンボール箱と袋体との間にダンボール製の内装体を配置し、袋体の底部を固着させると共に側板上縁に接着させたバッグインボックスタイプに包装箱が提案されている（特許文献１参照）。
【先行技術文献】
【特許文献】
【０００６】
【特許文献１】特開２００２−１２２６４号公報
【発明の概要】
【発明が解決しようとする課題】
【０００７】
しかしながら、特許文献１の外装箱は、搬送途中に変形したり汚れが付着したりしやすい。特に、フィルムバッグに薬液を入れた外装箱が、汚れていたり変形したりしていると、商品価値が低下し、病院等で使用する場合や食品等を収納するのであれば衛生上も好ましくない。
また、特許文献１のように、フィルムバッグ（袋体）をダンボール製の内装体と接着して使用する場合、ダンボール製の内装体が変形したり破損したりしやすくフィルムバッグを繰り返し使用することができない。
【０００８】
これに対して、ダンボール箱を保護するため二重梱包しようとしても、バッグインボックスタイプの包装箱（ダンボール箱）は、フィルムバッグ（内装容器）に液体が充填されるため重量物（２０Ｌ入りで重さ約２０ｋｇ）であり、液体が充填されたフィルムバッグをダンボール箱ごと持ち上げるのは重労働であり、力の弱い女性や腰の悪い作業者は作業が困難である。
また、フィルムバッグを予めダンボール箱に収納したままスパウトより液体を充填する場合には、開放位置に折り曲げた天板が邪魔になり、充填作業が行い難い。
更には、フィルムバッグのスパウト（注ぎ口）を露出させる窓部はミシン目に囲まれているため、大きな衝撃により破損しないように厚手のダンボールを用い、ミシン目を粗くするため窓部を開口する作業に労力を要する。
【０００９】
本発明はこれらの課題を解決すべくなされたものであり、その目的とするところは、包装箱の汚れや破損を防ぎ、内装容器への液体充填作業を容易に行うことができかつ内装容器を繰り返し使用することができる二重梱包用包装箱及びこれを用いて重量物を持ち上げずに二重梱包することで作業負担の軽減を図った二重梱包方法を提供することにある。
【課題を解決するための手段】
【００１０】
本発明は上記目的を達成するため、次の構成を有する。
液体が充填された内装容器を収納した方形状の第一包装箱を、方形状の第二包装箱内に重ね合わせて収納して二重梱包する二重梱包用包装箱であって、前記第二包装箱の天板が連設された包装箱本体の四隅にはスリットが各々形成され、前記スリットの長さは、第二包装箱の包装箱本体の上端部から１／３の高さ範囲内で延設されており、当該包装箱本体の側板上部と天板が折り目を介して連設された開閉フラップ部が四方に開閉可能に形成されていることを特徴とする。
【００１１】
二重梱包用包装箱を用いれば、液体が充填された内装容器を収納した方形状の第一包装箱が、方形状の第二包装箱内に重ね合わせて収納されて二重梱包されているため、第一包装箱が搬送途中で汚れたり潰れたりすることなく使用者に届けることができるうえに、二重梱包された内装容器は、繰り返し使用することができる。
また、第一包装箱を第二包装箱に二重梱包する際に、第二包装箱の包装箱本体の上端部から１／３の高さ範囲内でスリットが延設されているので、四方の開閉フラップ及びこれに連なる包装箱本体の側板上部を折り目から折り曲げて開放することにより、第二包装箱内に収納された第一包装箱の天面及び側板上部が露出するので、作業スペースを広く確保することができ、第一包装箱に収納された内装容器への液体の充填作業や第一包装箱の天面の封止作業が行い易く、第二包装箱の封止も容易に行える。
【００１３】
前記第二包装箱の厚さは、前記第一包装箱の厚さより薄い包装材が用いられていることが望ましい。これにより、開閉フラップの折り曲げが容易に行えるうえに、二重梱包するにあたって、二重梱包用包装箱の容積が必要以上に嵩むのを防ぐことができる。
【００１４】
また、上述したいずれかの二重梱包用包装箱を用いた二重梱包方法においては、天板を四方に開放した状態で底板を閉じて方形に組み立てた第一包装箱を用意する工程と、側板四隅に形成されたスリットに仕切られ側板上部及びこれに折り目を介して連設された天板を折り曲げて形成する開閉フラップを四方に開放するとともに底板を閉じて方形に組み立てた第二包装箱を用意する工程と、前記開閉フラップを開放した前記第二包装箱内に、前記第一包装箱を重ね合わせて挿入しかつ側板上部が露出するように収納する工程と、前記第一包装箱内に内装容器を収納する工程と、前記内装容器の注ぎ口から液体を充填して当該注ぎ口を閉止する工程と、前記第一包装箱の天板を折り曲げで前記第一包装箱の開口を閉じて封止する工程と、前記第二包装箱の開閉フラップを前記第一包装箱の側板上部に沿って各々起立させると共に折り目より前記天板を各々折り曲げることにより前記第二包装箱の開口を閉じて封止する工程と、を含むことを特徴とする。
【００１５】
これにより、開閉フラップを四方に開放した状態で内装容器を収納した第一包装箱を第二包装箱内に収納すると、第一包装箱の上部を大きく露出させることができ、作業空間が広く確保したまま内装容器に対する液体の充填及び第一包装箱の天板を封止する作業を行うことができ、更には開閉フラップを閉じて第二包装箱の封止が容易に行えるため、重量物を一度も持ち上げることなく二重梱包することができ作業の負担が少なく作業効率が向上する。
【発明の効果】
【００１６】
本発明によれば、包装箱の汚れや破損を防ぎ、内装容器への液体充填作業を容易に行うことができかつ内装容器を繰り返し使用することができる二重梱包用包装箱を提供することができ、またこれを用いて重量物を持ち上げずに二重梱包することが可能となり作業負担の軽減を図った二重梱包方法を提供することができる。
【図面の簡単な説明】
【００１７】
【図１】第一包装箱（内箱ダンボール）、第二包装箱（外箱ダンボール）、内装容器（フィルムバッグ）、キャップ、コック及び台車の説明図である。
【図２】第二包装箱（外箱ダンボール）を展開したブランク板の平面図である。
【図３】図１の各部材を用いた二重梱包方法の工程図である。
【図４】図３に続く二重梱包方法の工程図である。
【発明を実施するための形態】
【００１８】
以下、本発明に係る二重梱包用包装箱及びこれを用いた二重梱包方法の実施形態について、添付図面を参照しながら説明する。二重梱包用包装箱は、液体が充填された内装容器（フィルムバッグ）を収納した方形状の第一包装箱（内箱ダンボール）を、方形状の第二包装箱（外箱ダンボール）に重ね合わせて収納して二重梱包する。
本実施例では、フィルムバッグ充填する液体は、例えば加湿器に供給する除菌消臭剤（以下「薬液」という）を用いて説明するものとする。
【００１９】
図１においての二重梱包用包装箱の構成について説明する。
図１（Ａ）において、フィルムバッグ（内装容器）１としては、プラスチック製（例えばＬＬＤＰＥ：直鎖状低密度ポリエチレン等）のフィルム容器が用いられる。フィルムバッグ１は、複数層のフィルムをヒートシール法やインパルスシール法で熱溶着させて袋状に形成したものである。フィルムバッグ１の所定位置には、内容物である薬液の充填や取り出しのためのスパウト（注ぎ口）２が熱溶着されている。本実施例では、薬液２０Ｌを充填可能なフィルムバッグを例示している。フィルムバッグ１の容量はこれに限らず、１０Ｌ等の他のサイズでもよい。
【００２０】
スパウト２には、密封用のスクリューキャップ３がねじ嵌合する。また、フィルムバッグ１には、充填された薬液取り出し用のコック４が同封される。コック４は、使用者が、スクリューキャップ３に代わってスパウト２にねじ嵌合させて取り付けて使用できるようになっている。台車５は、フィルムバッグ１に薬液を充填して二重梱包する際の作業台及び二重梱包後の搬送に使用するものである。台車５は、支持台５ａに車輪５ｂが設けられた公知のものである。車輪５ｂは、自由回転可能な走行状態と回転規制されたロック状態とを切り替えられる。
【００２１】
図１（Ｂ）において、方形状に形成される内箱ダンボール（第一包装箱）６は、フィルムバッグ１を収納する内箱であり、従来はこのまま搬送され、使用されていたものである。内箱ダンボール６は天板６ａ、ダンボール本体（側板）６ｂ、底板６ｃが折り目を介して連設されている。天板６ａはダンボール本体６ｂの四隅に形成されるスリット６ｅにより４枚に仕切られており、同様に底板６ｃはスリット６ｆにより４枚に仕切られている。天板６ａ及び底板６ｃは、方形に形成されるダンボール本体６ｂの開口を、対向する一組の天板６ａどうし若しくは底板６ｃどうしが観音開きして開閉するようになっている。天板６ａ、ダンボール本体６ｂ、底板６ｃの高さ寸法比率は、概ね１：２：１になっている。
【００２２】
内箱ダンボール６は、例えば厚さ５ｍｍのダンボールが用いられ、天板６ａの一部にフィルムバッグ１のスパウト２に対応する位置に窓部６ｄがミシン目で破断可能に設けられている。この窓部６ｄは、使用者が内箱ダンボール６を開封することなく、フィルムバッグ１より薬液を取り出すことができるように設けられている。内箱ダンボール６は、後述する外箱ダンボール７に収納されるので、ミシン目の強度を必要以上に高める必要はなく、使用者の窓部６ｄを開口する作業負担を軽減することができる。
【００２３】
図１（Ｃ）において方形状に形成される外箱ダンボール（第二包装箱）７は、フィルムバッグ１を収容した内箱ダンボール６を二重梱包する外箱である。外箱ダンボール７は、内箱ダンボール６より薄い例えば厚さ３ｍｍのダンボールが用いられ、内箱ダンボール６を外箱ダンボール７内に重ね合わせて収納できるように内箱ダンボール６よりわずかに寸法サイズの大きなダンボールが用いられる。
【００２４】
図２は、外箱ダンボール７を展開したブランク板の平面図である。外箱ダンボール７は天板７ａ、ダンボール本体（側板）７ｂ、底板７ｃが折り目を介して連設されている。外箱ダンボール７の天板７ａはダンボール本体７ｂの四隅に形成されるスリット７ｄにより４枚に仕切られており、同様に底板７ｃはスリット７ｉにより４枚に仕切られている。天板７ａ及び底板７ｃは、方形に形成されるダンボール本体７ｂの開口を、対向する一組の天板７ａどうし若しくは底板７ｃどうしが観音開きして開閉するようになっている。また、天板７ａを仕切るスリット７ｄは、ダンボール本体７ｂの上部に所定長にわたって延長され本体スリット７ｄ１が各々形成されている。これらの本体スリット７ｄ１によってダンボール本体７ｂに水平方向に形成された折り目７ｈより、側板上部７ｂ１が折り曲げ可能になっている。各本体スリット７ｄ１の長さは、例えばダンボール本体７ｂの上端部７ｂ２から下端部７ｂ３までの高さを概ね１：２に仕切る１／３高さ範囲となるように形成されている。本体スリット７ｄ１の長さは、内箱ダンボール６の高さに応じて適宜変更してもよい。
【００２５】
天板７ａと側板上部７ｂ１は、折り目７ｅにて折り曲げ可能に連設され、側板上部７ｂ１とダンボール本体７ｂとは折り目７ｈにて折り曲げ可能に連設されている。外箱ダンボール７の天板７ａ、ダンボール本体（側板）７ｂ、底板７ｃの高さ寸法比率は、内箱ダンボール６と同様に概ね１：２：１になっている。ダンボール本体７ｂの端部には方形に組み立てるための糊代７ｇが設けられている。
【００２６】
以上のように、ダンボール本体７ｂの側板上部７ｂ１と天板７ａが折り目７ｅを介して連設された開閉フラップ７ｆが四方に形成されている。各開閉フラップ７ｆは、ダンボール本体７ｂに対して折り目７ｈにより折り曲げ可能に四方に連設されている。尚、開閉フラップ部７ｆに設けられる折り目７ｅ以外にも、中途部に任意の位置に折り目を設けてもよい。
【００２７】
これにより、内箱ダンボール６を外箱ダンボール７内に収納して二重梱包する際に、各開閉フラップ７ｆを折り目７ｈにおいて四方に開放することで、内箱ダンボール６の上部を大きく露出させて作業空間を広く確保できるので、内箱ダンボール６に収納されたフィルムバッグ１への薬液の充填作業や内箱ダンボール６の天板６ａの封止作業が行い易く、開閉フラップ７ｆを閉じることで外箱ダンボール７の封止も容易に行える。
【００２８】
次に、上述した二重梱包用包装箱を用いた二重梱包方法について図３及び図４を参照して説明する。
先ず図３（Ａ）に示すように、天板６ａを四方に開放した状態で底板６ｃを閉じて方形に組み立てた内箱ダンボール６を用意する。
次に図３（Ｂ）に示すように、開閉フラップ７ｆを折り目７ｈにおいて四方に開放した状態で底板７ｃを閉じて方形に組み立てた外箱ダンボール７を用意する。
【００２９】
次に図３（Ｃ）に示すように、開口した外箱ダンボール７に、天面が開口した内箱ダンボール６を底板６ｃ，７及びダンボール本体（側板）６ｂ、７ｂどうしが重なり合うように嵌め込む。このとき、内箱ダンボール６は開閉フラップ７ｆが四方に開放した状態にあるため外箱ダンボール７よりダンボール本体６ｂの上部（側板上部６ｂ１）が露出した状態にある（図３（Ｄ）参照）。
【００３０】
次に図３（Ｄ）（Ｅ）に示すように、開口した内箱ダンボール６に空のフィルムバッグ１を収納する。フィルムバッグ１のスパウト２は開口した状態にある。フィルムバッグ１を内箱ダンボール６に収納する際には、図３（Ｅ）に示すように、スパウト２の位置と天板６ａに設けられた窓部６ｄの位置を合わせて収納する。
【００３１】
図４（Ａ）に示すように、外箱ダンボール７を、台車５に載置して車輪５ｂをロックする。図示しない薬液タンクから供給ホース８を使用して薬液をスパウト２からフィルムバッグ１に充填する。薬液タンクからフィルムバッグ１への薬液の供給は、高低差を利用した供給方法やポンプにより供給する方法のいずれでもよい。
次に図４（Ｂ）に示すように、フィルムバッグ１への薬液の充填が完了すると、供給ホース８を取り外して、スパウト２にスクリューキャップ３をねじ嵌合して閉止し、使用者が薬液を取り出す際に使用するコック４を同封する。
【００３２】
次いで、図４（Ｃ）に示すように、内箱ダンボール６の天板６ａをフィルムバッグ１の天面を覆うように折り曲げて、ガムテープ９で上面をテープ止め（封止）する。このとき、内箱ダンボール６の上部は、外箱ダンボール７より露出しているため、十分な作業空間があり、テープ止めが容易に行える。
次いで、図４（Ｄ）に示すように、外箱ダンボール７の四方に開放した開閉フラップ７ｆを、対向する一組ずつ折り目７ｈにおいて内箱ダンボール６のダンボール本体６ｂ（側板上部６ｂ１）に沿って起立させ、内箱ダンボールの天板６ａを覆うように折り目７ｅにおいて天板７ａを折り曲げる。
最後に、図４（Ｅ）に示すように、外箱ダンボール７の天板７ａを形成する開閉フラップ７ｆの合わせ面をガムテープ９でテープ止め（封止）して、二重梱包が完了する。
【００３３】
この状態で台車５の車輪５ｂをロック状態から走行状態にして運送車に運んで使用者に配送される。内箱ダンボール６は外箱ダンボール７に二重梱包されているため、運搬途中で汚れたり潰れたりすることなく使用者に届けることができる。使用者は、二重梱包された外箱ダンボール７のガムテープ９を取り外して開閉フラップ７ｆを折り目７ｈより四方に折り曲げて開封することができる。そして内箱ダンボール６の天板６ａに設けられた窓部６ｄをミシン目に沿って破断して開口させ、スクリューキャップ３を取り外して付属のコック４に付け替えることで、薬液を取り出すことができる。尚、薬液の取り出しに際しては、内箱ダンボール本体６ｂ（外箱ダンボール本体７ｂ）を底部としてコック４を側面になるように姿勢変更して供給すると取り出し易くなる。
【００３４】
以上の二重梱包方法を用いれば、開閉フラップ７ｆを四方に開放した状態で内箱ダンボールを外箱ダンボール７内に収納すると、内箱ダンボール６の上部を大きく露出させることができ、作業空間が広く確保したまま内箱ダンボール６に収納したフィルムバッグ１に対する薬液の充填及び内箱ダンボール６の天板６ａを封止する作業を行うことができ、更には開閉フラップ７ｆを閉じて外箱ダンボール７の封止が容易に行えるため、重量物を一度も持ち上げることなく二重梱包することができ、作業者の負担が少なく作業効率が向上する。
【００３５】
上述した実施例は、内箱ダンボール及び外箱ダンボールは、平面視正方形であっても或いは平面視長方形であってもいずれでもよく、内箱ダンボール６内或いは外箱ダンボール７内に緩衝材や補強材を挿入するようにしてもよい。
また、ダンボール材を用いた二重梱包用包装箱について説明したが、他の材料、例えば厚手の紙や樹脂材等であってもよい。
【符号の説明】
【００３６】
１  フィルムバッグ  ２  スパウト（注ぎ口）  ３  スクリューキャップ  ４  コック  ５  台車  ５ａ  支持台  ５ｂ  車輪  ６  内箱ダンボール  ６ａ，７ａ  天板  ６ｂ，７ｂ  ダンボール本体  ６ｂ１，７ｂ１  側板上部  ６ｃ，７ｃ  底板  ６ｄ  窓部  ６ｅ，６ｆ，７ｄ，７ｄ１，７ｉ  スリット  ７  外箱ダンボール  ７ｅ，７ｈ  折り目  ７ｆ  開閉フラップ  ８  供給ホース  ９  ガムテープ
【図１】
0006313346.tif 000002
【図２】
0006313346.tif 000003
【図３】
0006313346.tif 000004
【図４】
0006313346.tif 000005